(57)【要約】【課題】  スライド操作が容易な携帯情報機器を提供する。【解決手段】  携帯情報機器１０Ａは、外部に通じる内部空間１ａを有する第１の筐体１と、第１の筐体１に対してスライドすることにより、内部空間１ａに収納された状態（収納状態）と内部空間１ａから外部に突き出した状態（突き出し状態）との間で移動可能な第２の筐体２とを備えている。【選択図】        図４
2005252594.tif 000002
【特許請求の範囲】
【請求項１】
外部に通じる内部空間を有する第１の筐体と、
前記第１の筐体に対してスライドすることにより、前記内部空間に収納された状態と前記内部空間から外部に突き出した状態との間で移動可能な第２の筐体とを備えた、携帯情報機器。
【請求項２】
前記第１の筐体の表面に操作部が設けられており、かつ前記第２の筐体の表面に表示部が設けられていることを特徴とする、請求項１に記載の携帯情報機器。
【請求項３】
前記第２の筐体が前記第１の筐体の前記内部空間内に収納された状態で、前記第２の筐体に設けられた前記表示部の少なくとも一部を外部から視認するための切欠きまたは孔を前記第１の筐体が有していることを特徴とする、請求項２に記載の携帯情報機器。
【請求項４】
前記第２の筐体の外部に突き出す側の端部に設けられた受話用レシーバをさらに備えたことを特徴とする、請求項２または３に記載の携帯情報機器。
【請求項５】
前記第１の筐体の表面に表示部が設けられており、かつ前記第２の筐体の表面に操作部が設けられていることを特徴とする、請求項１に記載の携帯情報機器。
【請求項６】
前記第２の筐体の外部に突き出す側の端部に設けられた送話用マイクをさらに備えたことを特徴とする、請求項５に記載の携帯情報機器。
【請求項７】
前記第１の筐体の背面に設けられたカメラをさらに備えたことを特徴とする、請求項１〜６のいずれかに記載の携帯情報機器。
【請求項８】
前記第１の筐体の前記表面または前記第２の筐体の前記表面に設けられた他のカメラをさらに備えたことを特徴とする、請求項７に記載の携帯情報機器。
【請求項９】
前記第１の筐体に設けられたスイッチボタンをさらに備え、
前記スイッチボタンを操作することにより、前記第１の筐体の前記内部空間に収納された状態から、前記内部空間から外部に突き出した状態へと前記第２の筐体をスライドさせるよう構成されていることを特徴とする、請求項１〜８のいずれかに記載の携帯情報機器。
【請求項１０】
前記第２の筐体の背面に設けられた太陽電池パネルをさらに備えたことを特徴とする、請求項１〜９のいずれかに記載の携帯情報機器。
【発明の詳細な説明】
【技術分野】
【０００１】
本発明は、携帯情報機器に関し、特に、筐体同士がスライドする携帯情報機器に関するものである。
【背景技術】
【０００２】
従来、筐体同士がスライドする携帯電話機は、たとえば特開２００３−２９８６９９号公報に開示されている。
【０００３】
図１１および図１２は、この公報に開示されたタイプのスライド式の携帯電話機の構成およびスライド動作を示す図である。図１１は２つの筐体が完全に重なった状態を示す正面図（ａ）および側面図（ｂ）であり、図１２は２つの筐体がずれた状態を示す正面図（ａ）および側面図（ｂ）である。
【０００４】
図１１および図１２を参照して、この携帯電話機１１０では、第１の筐体１０１と第２の筐体１０２とが上下に重ねられており、互いにスライド自在に結合されている。そして第１の筐体１０１の表面には表示部１０４が設けられており、第２の筐体１０２の表面には操作部１０３が設けられている。第１の筐体１０１に対して第２の筐体１０２をスライドさせることで、第２の筐体１０２の操作部１０３を第２の筐体１０１によりカバーしたり、第１の筐体１０１から露出させたりすることができる。
【特許文献１】特開２００３−２９８６９９号公報
【発明の開示】
【発明が解決しようとする課題】
【０００５】
しかしながら、従来のスライド式の携帯電話機では、操作部１０３を第１の筐体１０１から露出させた状態（図１２の状態）において、第１の筐体１０１と第２の筐体１０２との重なり部（領域Ｒ）を操作者が握ることになる。この場合、操作者は第１の筐体１０１と第２の筐体１０２との双方を把持することになるため、第１の筐体１０１に対して第２の筐体１０２をスライドさせる操作が難しくなる。
【０００６】
本発明は、係る点に鑑みてなされたもので、スライド操作が容易な携帯情報機器を提供することを目的とする。
【課題を解決するための手段】
【０００７】
本発明の携帯情報機器は、外部に通じる内部空間を有する第１の筐体と、その第１の筐体に対してスライドすることにより、内部空間に収納された状態と内部空間から外部に突き出した状態との間で移動可能な第２の筐体とを備えている。
【０００８】
上記の携帯情報機器において好ましくは、第１の筐体の表面に操作部が設けられており、第２の筐体の表面に表示部が設けられている。
【０００９】
上記の携帯情報機器において好ましくは、第２の筐体が第１の筐体の内部空間内に収納された状態で、第２の筐体に設けられた表示部の少なくとも一部を外部から視認するための切欠きまたは孔を第１の筐体が有している。
【００１０】
上記の携帯情報機器において好ましくは、第１の筐体の外部に突き出す側の端部に設けられた受話用レシーバがさらに備えられている。
【００１１】
上記の携帯情報機器において好ましくは、第１の筐体の表面に表示部が設けられており、第２の筐体の表面に操作部が設けられている。
【００１２】
上記の携帯情報機器において好ましくは、第１の筐体の外部に突き出す側の端部に設けられた送話用マイクがさらに備えられている。
【００１３】
上記の携帯情報機器において好ましくは、第１の筐体の背面に設けられたカメラがさらに備えられている。
【００１４】
上記の携帯情報機器において好ましくは、第１の筐体の表面または第２の筐体の表面に設けられた他のカメラがさらに備えられている。
【００１５】
上記の携帯情報機器において好ましくは、第１の筐体に設けられたスイッチボタンがさらに備えられており、そのスイッチボタンを操作することにより、第１の筐体の内部空間に収納された状態から、その内部空間から外部に突き出した状態へと第２の筐体をスライドさせるよう携帯情報機器が構成されている。
【００１６】
上記の携帯情報機器において好ましくは、第２の筐体の背面に設けられた太陽電池パネルがさらに備えられている。
【発明の効果】
【００１７】
本発明の携帯情報機器によれば、第１の筐体と第２の筐体とは従来例のように単に上下に重ね合わされているのではなく、第２の筐体が第１の筐体の内部空間内に収納可能に構成されている。このため、第２の筐体が第１の筐体の内部空間から外部に突き出した状態において、第１の筐体と第２の筐体とが重なり合う部分では、第１の筐体が第２の筐体の周囲を取り囲んでいる。よって、携帯情報機器の操作者が第１の筐体と第２の筐体とが重なり合う部分を握っても、第１の筐体のみを把持することなり、従来例のように第１の筐体と第２の筐体との双方を把持することとならないので、第１の筐体に対して第２の筐体をスライドさせる操作が容易となる。
【００１８】
持ち運び時には第２の筐体を第１の筐体の内部空間内に収納し携行性を高めるとともに、操作時には第２の筐体を第１の筐体の内部空間から外部に突き出させて表示部の画面を確認しながら操作することができる。その際、携帯情報機器本体を片手でしっかりと握った状態で第２の筐体を第１の筐体の内部空間の内部へ収納したり、外部へ突き出させたりでき、操作者の手や指により第２の筐体の動きが阻害されないためスムーズな操作性が得られる。
【００１９】
また、第２の筐体が第１の筐体の内部空間から外部に突き出した状態において、操作者は上記のように第１の筐体のみを把持することになるため、携帯情報機器を操作者の手の形にフィットさせやすく手指でしっかりとホールドすることができ、キー入力が容易となる。
【００２０】
さらに、第２の筐体が第１の筐体の内部空間から外部に突き出した状態で携帯情報機器を誤って落下させても、スライド機構部の緩衝効果により携帯情報機器の破損を抑制できる。
【００２１】
上記の携帯情報機器においては、第１の筐体の表面に操作部が設けられており、第２の筐体の表面に表示部が設けられているため、第２の筐体を第１の筐体の内部空間に収納した状態において表示部を第１の筐体で保護することが可能となる。また、第１の筐体の表面に操作部が設けられているため、第２の筐体が第１の筐体の内部空間内に収納された状態でも素早く電話をかけることができる。
【００２２】
上記の携帯情報機器においては、第２の筐体が第１の筐体の内部空間内に収納された状態で、第２の筐体に設けられた表示部の少なくとも一部を外部から視認するための切欠きまたは孔が第１の筐体に設けられているため、その切欠きまたは孔から必要最小限の情報（電波状況、電池残量、着信やメールの状況）を表示部にて確認できる。また、第２の筐体が第１の筐体の内部空間内に収納された状態で、切欠きまたは孔から相手先の電話番号を表示部にて確認しながら電話をかけることができるため、間違い電話を減らすことができる。
【００２３】
上記の携帯情報機器においては、第２の筐体の外部に突き出す側の端部に受話用レシーバが設けられているため、第２の筐体が第１の筐体の内部空間内に収納されたコンパクトな状態のままでも、送受信し通話が可能となる。また、第２の筐体が第１の筐体の内部空間から外部に突き出した状態では、マイクとレシーバとが離れ、双方の距離を口元と耳元との距離に近付けることができるため、通話品質が向上する。
【００２４】
上記の携帯情報機器においては、第１の筐体の表面に表示部が設けられており、第２の筐体の表面に操作部が設けられているため、持ち運び時にバッグなどに携帯情報機器を入れておいても、第２の筐体を第１の筐体の内部空間に収納した状態としておけば、不用意に操作部のキーを押すことがなくなり、誤操作を防止することができる。
【００２５】
上記の携帯情報機器においては、第２の筐体の外部に突き出す側の端部に送話用マイクが設けられているため、第２の筐体が第１の筐体の内部空間内に収納されたコンパクトな状態のままでも、送受信し通話が可能となる。また、第２の筐体が第１の筐体の内部空間から外部に突き出した状態では、マイクとレシーバとが離れ、双方の距離を口元と耳元との距離に近付けることができるため、通話品質が向上する。
【００２６】
上記の携帯情報機器においては、第１の筐体の背面にカメラが設けられているため、表示部で被写体を確認しながらデジタルカメラのように使うことができる。また、第１の筐体もしくは第２の筐体の側面部にシャッターボタンを配置すると、使い勝手がよくなり、手ぶれのない鮮明な撮影が可能となる。
【００２７】
上記の携帯情報機器においては、第１の筐体の表面または第２の筐体の表面に他のカメラが設けられているため、その他のカメラにより自分撮りやテレビ電話などの使用が可能となる。
【００２８】
上記の携帯情報機器においては、第１の筐体にスライド用のスイッチボタンが設けられているため、そのスイッチボタンを操作することにより、素早くスムーズに収納状態から突き出した状態へと形態を変化させることができる。また、片手での操作が容易となるため、クラムシェル方式の携帯情報機器よりも操作性が向上する。
【００２９】
また、第１の筐体が内部空間を有しているため、第２の筐体をボタン操作１つで第１の筐体の内部空間から外部へ突き出した状態とするためのワンプッシュ機構をその内部空間内に格納することができる。また、ワンプッシュ機構を設けたことにより、メール、カメラの使用時に第１の筐体の内部空間内から外部に突き出した状態となるように第２の筐体を即座にスライドさせることができる。
【００３０】
上記の携帯情報機器においては、第２の筐体の背面に太陽電池パネルが設けられているため、充電池切れの際の電源供給（手で塞がないため光を受け易い）や、電池の減りを補う目的に活用することができる。
【発明を実施するための最良の形態】
【００３１】
以下、本発明の実施の形態について図面に基づいて説明をする。
【００３２】
図１および図２は、本発明の一実施の形態における携帯情報機器の収納状態を示す正面図および側面図である。また図３は、図１のＩＩＩ−ＩＩＩ線に沿う概略断面図である。
【００３３】
図１〜図３を参照して、本実施の形態の携帯情報機器１０Ａは、第１の筐体１と、第２の筐体２と、操作部３と、表示部４と、受話用レシーバ５と、ワンプッシュボタン６と、カメラ７と、電池８と、内蔵アンテナ９と、通話用マイク１１と、ワンプッシュ機構部１２とを主に有している。
【００３４】
第１の筐体１に対してスライド可能となるように第２の筐体２が第１の筐体１に結合されている。この第１の筐体１は、外部に通じる内部空間１ａを有している。第２の筐体２はスライドすることにより、この内部空間１ａに収納された状態（以下、「収納状態」と称する：図１〜３、図５）と、内部空間１ａから外部に突き出した状態（以下、「突き出し状態」と称する：図４、図６）との間で移動可能である。
【００３５】
主に図１を参照して、第１の筐体１の表面には、切欠き１ｂと、情報を入力するためのファンクションキー、テンキーなどの操作部３と、通話時に自分の音声を集音するための通話用マイク１１とが設けられている。切欠き１ｂは内部空間１ａが外部に開口する部分に形成されており、通話用マイク１１は操作部３を挟んで切欠き１ｂの反対側に配置されている。
【００３６】
主に図３を参照して、第１の筐体１の背面側においては、映像を撮影するためのカメラ７と、携帯情報機器に電源を供給するための電池８と、通信信号を送受信するための内蔵アンテナ９とが第１の筐体１内に配置されている。内蔵アンテナ９は内部空間１ａが外部に開口する側に形成されている。カメラ７は、第１の筐体１の背面において露出している。
【００３７】
主に図２を参照して、第１の筐体の側面にはワンプッシュボタン６が配置されており、このワンプッシュボタン６の操作によって連動して第２の筐体２を収納状態から突き出し状態へと移行させるワンプッシュ機構部１２（図１）が内部空間１ａ内に配置されている。このワンプッシュ機構部１２は、たとえばバネなどの付勢部材よりなっている。
【００３８】
主に図１を参照して、第２の筐体２の表面には、情報を表示するための表示部（たとえば液晶ディスプレイ）４と、受話音声を発するための受話用レシーバ５とが設けられている。受話用レシーバ５は、第２の筐体の表面に形成された突出部２ａに設けられており、この突出部２ａは表示部４よりも突き出し端面２ｂ側に配置されている。この表示部４の少なくとも一部と受話用レシーバ５とは、収納状態において切欠き１ｂから外部に露出している。
【００３９】
次に、本実施の形態の携帯情報機器１０Ａにおけるスライド動作について説明する。
【００４０】
図５は図１に示す携帯情報機器の収納状態を示す斜視図であり、図４および図６は図１に示す携帯情報機器の突き出し状態を示す正面図および斜視図である。
【００４１】
図１および図５を参照して、収納状態において操作者が第１の筐体１の側面にあるワンプッシュボタン６を押すと、これに連動してワンプッシュ機構部１２が第２の筐体２に内部空間１ａの開口部へ向かう方向に付勢力を与える。これにより、第２の筐体２が内部空間１ａの開口部側へ押し出されてスライドし、図４および図６に示す突き出し状態へと移行する。
【００４２】
図４および図６に示す突き出し状態においては、第２の筐体２の表面に設けられた表示部４の全画面を操作者は視認することができる。また、通話用マイク１１と受話用レシーバ５とが離れ、双方の距離を口元と耳元との距離に近付けることができ、通話品質が向上する。
【００４３】
この突き出し状態において操作者が第２の筐体２の突き出し端面２ｂを第１の筐体１側へ指などで押し込むことにより、第２の筐体２は第１の筐体１の内部空間内に収納され、図１および図５に示す収納状態へと移行する。
【００４４】
図１および図５に示す収納状態においては、携帯情報機器１０Ａの全長が短くなり持ち運びが容易となる。また、切欠き１ｂから受話用レシーバ５が露出しているため、収納状態においても操作者は通話することができる。また、切欠き１ｂから表示部４の少なくとも一部が露出しているため、必要最小限の情報（電波状況、電池残量、着信やメールの状況）を表示部４にて操作者は確認することができる。また、収納状態で、切欠き１ｂから相手先の電話番号を表示部４にて確認しながら電話をかけることができるため、間違い電話を減らすことができる。
【００４５】
本実施の携帯情報機器１０Ａによれば、第１の筐体１と第２の筐体２とは従来例のように単に上下に重ね合わされているのではなく、第２の筐体２が第１の筐体１の内部空間１ａ内に収納可能に構成されている。このため、突き出し状態（図４、図６）において、第１の筐体１と第２の筐体２とが重なり合う部分では、第１の筐体１が第２の筐体２の周囲を取り囲んでいる。よって、携帯情報機器１０Ａの操作者が第１の筐体１と第２の筐体２とが重なり合う部分を握っても、第１の筐体１のみを把持することなり、従来例のように第１の筐体と第２の筐体との双方を把持することとならないので、第１の筐体１に対して第２の筐体２をスライドさせる操作が容易となる。
【００４６】
持ち運び時には第２の筐体２を第１の筐体１の内部空間１ａ内に収納して収納状態（図１、図５）にして携行性を高めるとともに、操作時には第２の筐体２を第１の筐体１の内部空間１ａから外部に突き出させて突き出し状態（図４、図６）にして表示部４の画面を確認しながら操作することができる。その際、携帯情報機器１０Ａの本体を片手でしっかりと握った状態で第２の筐体２を内部空間１ａの内部へ収納したり、外部へ突き出させたりでき、操作者の手や指により第２の筐体２の動きが阻害されないためスムーズな操作性が得られる。
【００４７】
また、突き出し状態において、操作者は上記のように第１の筐体１のみを把持することになる。このため、携帯情報機器１０Ａを操作者の手の形にフィットさせやすく手指でしっかりとホールドすることができ、キー入力が容易となる。
【００４８】
さらに、突き出し状態で携帯情報機器１０Ａを誤って落下させても、スライド機構部の緩衝効果により携帯情報機器１０Ａの破損を抑制できる。
【００４９】
また、第２の筐体２の表面に表示部４が設けられているため、収納状態において表示部４を第１の筐体１で保護することが可能となる。また、第１の筐体１の表面に操作部３が設けられているため、収納状態でも素早く電話をかけることができる。
【００５０】
また、第１の筐体１の背面にカメラ７が設けられているため、表示部４で被写体を確認しながらデジタルカメラのように使うことができる。また、第１の筐体１もしくは第２の筐体２の側面部にシャッターボタンを配置すると、使い勝手がよくなり、手ぶれのない鮮明な撮影が可能となる。
【００５１】
また、第１の筐体１の側面にワンプッシュボタン６が設けられているため、そのワンプッシュボタン６を操作することにより、素早くスムーズに収納状態から突き出し状態へと形態を変化させることができる。また、片手での操作が容易となるため、クラムシェル方式の携帯情報機器よりも操作性が向上する。
【００５２】
また、第１の筐体１が内部空間１ａを有しているため、第２の筐体２をボタン操作１つで突き出し状態とするためのワンプッシュ機構部１２をその内部空間１ａ内に格納することができる。また、ワンプッシュ機構部１２を設けたことにより、メール、カメラの使用時に第１の筐体１の内部空間１ａ内から外部に突き出した状態となるように第２の筐体２を即座にスライドさせることができる。
【００５３】
また、第１の筐体１の表面または第２の筐体２の表面に他のカメラ（図示せず）が設けられていてもよい。このように他のカメラを設けることにより、自分撮りやテレビ電話などの使用が可能となる。なお、この他のカメラはカメラ７とその厚み方向において重ならないようにずらして配置されることが好ましい。これにより、携帯情報機器１０Ａの厚みが大きくなることを抑制できる。また、表示部の近傍に配置することによって自分撮りやＴＶ電話の際に目線が正面を向くようにできる。
【００５４】
また、上記においては第１の筐体１に切欠き１ｂを設けた場合について説明したが、切欠き１ｂの代わりに窓孔が設けられていてもよい。以下、窓孔が設けられた携帯情報機器について説明する。
【００５５】
図７および図９は第１の筐体に窓孔が設けられた携帯情報機器の収納状態を示す正面図および斜視図である。また図８および図１０は第１の筐体に窓孔が設けられた携帯情報機器の突き出し状態を示す正面図および斜視図である。
【００５６】
図７〜図１０を参照して、この携帯情報機器１０Ｂにおいては、第１の筐体１の表面に窓孔１ｃが設けられている。これにより、収納状態においても、この窓孔１ｃから、第２の筐体２の表面に設けられた表示部４の少なくとも一部を視認することができる。この窓孔１ｃよりも突き出し端面２ｂ側の第１の筐体１の表面には、受話用レシーバ５からの音を通すためのレシーバ用孔１３が設けられている。このレシーバ用孔１３は、収納状態において受話用レシーバ５と対向する位置に配置されている。これにより、収納状態において受話用レシーバ５から発せられる音声をレシーバ用孔１３を介して聞き取ることができる。なお、受話用レシーバ５は表示部４の表面とほぼ同じ面内に位置する第２の筐体２の表面に配置されている。
【００５７】
なお、これ以外の構成については上述した図１〜図６の構成とほぼ同じであるため、同一の構成要素については同一の符号を付し、その説明を省略する。また、窓孔１ｃを設けた携帯情報機器１０Ｂにおけるスライド動作も上述した図１〜図６の構成の動作とほぼ同じであるため、その説明を省略する。
【００５８】
この構成においても、窓孔１ｃを設けたことにより、収納状態において窓孔１ｃから表示部４の少なくとも一部を視認できるため、必要最小限の情報（電波状況、電池残量、着信やメールの状況）を表示部４にて確認できる。また、収納状態で、窓孔１ｃから相手先の電話番号を表示部４にて確認しながら電話をかけることができるため、間違い電話を減らすことができる。
【００５９】
また、レシーバ用孔１３が受話用レシーバ５からの音を通すため、収納状態においても操作者は通話することができる。
【００６０】
また、受話用レシーバ５が表示部４の表面とほぼ同じ面内にある第２の筐体２の表面に形成されているため、受話用レシーバ５が設けられた第２の筐体２の部分も第１の筐体１の内部空間１ａ内に収納することが可能となる。
【００６１】
また、これ以外にも図１〜図６の構成と同じ効果を得ることができる。
【００６２】
上記の図１〜図６における携帯情報機器および図７〜図１０における携帯情報機器においては、第１の筐体１の表面に操作部３が設けられており、第２の筐体２の表面に表示部４が設けられている構成について説明したが、第１の筐体１の表面に表示部４が設けられており、第２の筐体２の表面に操作部３が設けられていてもよい。この場合、収納状態においては操作部３が第１の筐体１の内部空間１ａ内に収納されることになる。このため、持ち運び時にバッグなどに携帯情報機器を入れておいても、不用意に操作部３のキーを押すことがなくなり、誤操作を防止することができる。この場合、第２の筐体２は第１の筐体１に対して下側方向に突出する構成にした方が操作性上好ましい。
【００６３】
また、第１の筐体１の表面に表示部４が設けられ、第２の筐体２の表面に操作部３が設けられる場合には、第２の筐体２の外部に突き出す側の端部に送話用マイク（通話用マイク）が設けられ、第１の筐体１の表面に受話用レシーバ５が設けられる。
【００６４】
また、上記の図１〜図６における携帯情報機器および図７〜図１０における携帯情報機器のいずれにおいても、第２の筐体２の背面に太陽電池パネル（図示せず）が設けられていてもよい。このように太陽電池パネルを設けることにより、充電池切れの際の電源供給（第２の筐体２の背面は手で塞がれないため光を受け易い）や、電池の減りを補う目的に太陽電池パネルを活用することができる。
【００６５】
上記の実施の形態においては、携帯情報機器１０Ａ、１０Ｂとして携帯電話について説明したが、本発明は携帯電話だけでなく、携帯用情報端末（ＰＤＡ：personal data assistant）、ノート型のパーソナルコンピュータなどの携帯情報機器に広く適用され得る。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６７】
本発明は、複数の筐体が互いにスライドする携帯情報機器に有利に適用することができる。
【図面の簡単な説明】
【００６８】
【図１】本発明の一実施の形態における携帯情報機器の収納状態を示す正面図である。
【図２】本発明の一実施の形態における携帯情報機器の収納状態を示す側面図である。
【図３】図１のＩＩＩ−ＩＩＩ線に沿う概略断面図である。
【図４】図１に示す携帯情報機器の突き出し状態を示す正面図である。
【図５】図１に示す携帯情報機器の収納状態を示す斜視図である。
【図６】図１に示す携帯情報機器の突き出し状態を示す斜視図である。
【図７】第１の筐体に窓孔が設けられた携帯情報機器の収納状態を示す正面図である。
【図８】第１の筐体に窓孔が設けられた携帯情報機器の突き出し状態を示す正面図である。
【図９】第１の筐体に窓孔が設けられた携帯情報機器の収納状態を示す斜視図である。
【図１０】第１の筐体に窓孔が設けられた携帯情報機器の突き出し状態を示す斜視図である。
【図１１】従来のスライド式の携帯電話において、２つの筐体が完全に重なった状態を示す正面図（ａ）および側面図（ｂ）である。
【図１２】従来のスライド式の携帯電話において、２つの筐体がずれた状態を示す正面図（ａ）および側面図（ｂ）である。
【符号の説明】
【００６９】
１  第１の筐体、１ａ  内部空間、１ｂ  切欠き、１ｃ  窓孔、２  第２の筐体、２ａ  突出部、２ｂ  突き出し端面、３  操作部、４  表示部、５  受話用レシーバ、６  ワンプッシュボタン、７  カメラ、８  電池、９  内蔵アンテナ、１０Ａ，１０Ｂ  携帯情報機器、１１  通話用マイク、１２  ワンプッシュ機構部、１３  レシーバ用孔。
【図１】
2005252594.tif 000003
【図２】
2005252594.tif 000004
【図３】
2005252594.tif 000005
【図４】
2005252594.tif 000006
【図５】
2005252594.tif 000007
【図６】
2005252594.tif 000008
【図７】
2005252594.tif 000009
【図８】
2005252594.tif 000010
【図９】
2005252594.tif 000011
【図１０】
2005252594.tif 000012
【図１１】
2005252594.tif 000013
【図１２】
2005252594.tif 000014